(57)【要約】【課題】車載カメラ等のカメラモジュールの前側に偏光板を容易に取り付けることができるとともに、偏光板の取付け位置を容易に調整できる偏光板付きホルダおよび偏光板付きレンズユニットを提供する。【解決手段】偏光板付きホルダ２０は、ホルダ本体２１と、このホルダ本体２１の表面側に設けられて、ホルダ本体２１をレンズユニット１１に取り付けた状態において、当該レンズユニット１１の光軸と直交する設置面２２ａを有する設置部２２と、設置面２２ａに設置するようにして設けられた偏光板２３と、ホルダ本体２１の裏面側に設けられて、当該ホルダ本体２１をレンズユニット１１の光軸回りに正逆方向に回転可能に、かつ着脱可能にレンズユニット１１に取り付ける取付部２４とを備えている。【選択図】図１
2020106724.tif 000002
【特許請求の範囲】
【請求項１】
レンズユニットに着脱可能に取り付けられる偏光板付きホルダであって、
ホルダ本体と、
このホルダ本体の表面側に設けられて、当該ホルダ本体を前記レンズユニットに取り付けた状態において、当該レンズユニットの光軸と直交する設置面を有する設置部と、
前記設置面に載置するようにして前記設置部に固定された偏光板と、
前記ホルダ本体の裏面側に設けられて、当該ホルダ本体を前記レンズユニットの光軸回りに正逆方向に回転可能に、かつ着脱可能に前記レンズユニットに取り付ける取付部と、を備えていることを特徴とする偏光板付きホルダ。
【請求項２】
前記取付部は、前記レンズユニットの鏡筒の外周面を、前記光軸回りに正逆方向に回転可能に摺動し、かつ前記外周面に着脱可能な摺動面を有することを特徴とする請求項１に記載の偏光板付きホルダ。
【請求項３】
前記偏光板は前記設置面と前記設置部に設けられたガラス板とによって挟み付けられ、前記ガラス板が前記設置部に固定されていることを特徴とする請求項１または２に記載の偏光板付きホルダ。
【請求項４】
前記設置部は、前記設置面から立ち上がる立上り壁面を有し、この立上り壁面と前記ガラス板の側端面とが接着剤によって接着されることによって、前記ガラス板が前記設置部に固定されていることを特徴とする請求項３に記載の偏光板付きホルダ。
【請求項５】
前記設置面は、ホルダ本体の表面と裏面との間に設けられた中間壁の表面によって構成され、
前記中間壁の裏面が前記レンズユニットの鏡筒の先端部が当接する受け面となっていることを特徴とする請求項１〜４のいずれか１項に記載の偏光板付きホルダ。
【請求項６】
前記中間壁は、前記レンズユニットで結像された画像を撮像する長方形状の撮像素子に必要な光を透過可能な長方形状の開口部を有することを特徴とする請求項１〜５のいずれか１項に記載の偏光板付きホルダ。
【請求項７】
レンズユニットと、
このレンズユニットに取り付けられた請求項１〜６のいずれか１項に記載の偏光板付きホルダとを備え、
前記偏光板付きホルダの前記取付部が前記レンズユニットにその光軸回りに正逆方向に回転可能に、かつ着脱可能に取り付けられていることを特徴とする偏光板付きレンズユニット。
【請求項８】
前記取付部は、前記レンズユニットの鏡筒の外周面を、前記光軸回りに正逆方向に回転可能に摺動し、かつ前記外周面に着脱可能な摺動面を有し、当該摺動面が前記外周面に前記光軸回りに正逆方向に回転可能に、かつ着脱可能に取り付けられていることを特徴とする請求項７に記載の偏光板付きレンズユニット。
【請求項９】
前記偏光板付きホルダの前記設置面は、前記ホルダ本体の表面と裏面との間に設けられた中間壁の表面によって構成され、
前記中間壁の裏面が前記レンズユニットの鏡筒の先端部が当接する受け面となっており、
この受け面に前記鏡筒の先端部が当接していることを特徴とする請求項７または８に記載の偏光板付きレンズユニット。
【発明の詳細な説明】
【技術分野】
【０００１】
本発明は、偏光板付きホルダおよび偏光板付きレンズユニットに関する。
【背景技術】
【０００２】
近年、自動車に車載カメラを搭載し、車載カメラが撮影した画像を、駐車支援、自動ブレーキ、自動運転等の技術に利用するカメラセンシングシステムが採用されている。このような車載カメラ等に用いられるレンズユニットの一例として、特許文献１に記載のものが知られている。このレンズユニットにおいては、４枚のレンズが、鏡筒に光軸方向をそれぞれ揃えて一列に並べられた状態に保持されている。また、レンズとレンズとの間に、絞り部材が備えられている。
また、このようなレンズユニットを備えたカメラモジュールは、レンズユニットで結像された画像を撮像する撮像素子を備えている。
【先行技術文献】
【特許文献】
【０００３】
【特許文献１】特開２００８−２３３５１２号公報
【発明の概要】
【発明が解決しようとする課題】
【０００４】
ところで、上述したようなカメラモジュールを車載カメラとして使用した場合、例えば雨天時等に路面に水溜りがあると、この水溜りの水面で乱反射した光がカメラモジュールのレンズユニットに入射したり、車両のボンネットやダッシュボードの表面で乱反射した光がカメラモジュールのレンズユニットに入射する。
そうすると、乱反射した光がレンズユニットを通過して撮像素子によって検出され、上述したカメラセンシングシステムが誤検知する虞がある。
この対策として偏光板を車載カメラ（カメラモジュール）の前側に取り付けることが考えられるが、一般的な偏光板は、強度が低く熱や湿度に弱いため、偏光板を車載カメラの前側に取り付けるのは容易ではない。
また、偏光板は吸収軸を有しているが、この吸収軸が長方形状の撮像素子の長辺方向と平行になるように、偏光板の取付け位置を調整するのも容易ではない。
【０００５】
本発明は、前記事情に鑑みてなされたものであり、車載カメラ等のカメラモジュールの前側に偏光板を容易に取り付けることができるとともに、偏光板の取付け位置を容易に調整できる偏光板付きホルダおよび偏光板付きレンズユニットを提供することを目的とする。
【課題を解決するための手段】
【０００６】
前記課題を解決するために、本発明の偏光板付きホルダは、レンズユニットに着脱可能に取り付けられる偏光板付きホルダであって、
ホルダ本体と、
このホルダ本体の表面側に設けられて、当該ホルダ本体を前記レンズユニットに取り付けた状態において、当該レンズユニットの光軸と直交する設置面を有する設置部と、
前記設置面に設置するようにして前記設置部に固定された偏光板と、
前記ホルダ本体の裏面側に設けられて、当該ホルダ本体を前記レンズユニットの光軸回りに正逆方向に回転可能に、かつ着脱可能に前記レンズユニットに取り付ける取付部と、を備えていることを特徴とする。
【０００７】
本発明においては、ホルダ本体の表面側に設けられた設置部の設置面がホルダ本体をレンズユニットに取り付けた状態において、当該レンズユニットの光軸と直交しているので、この設置面に載置された偏光板は、ホルダ本体をレンズユニットに取り付けた状態において、当該レンズユニットの光軸と直交し、さらに、ホルダ本体の裏面側に設けられた取付部は、当該ホルダ本体をレンズユニットの光軸回りに正逆方向に回転可能に、かつ着脱可能にレンズユニットに取り付ける。
したがって、レンズユニットに偏光板付きホルダを取り付けることによって、車載カメラ等のカメラモジュールの前側に偏光板を容易に取り付けることができるとともに、取付部によってホルダ本体をレンズユニットの光軸回りに正逆方向に回転させることにより、偏光板の取付け位置を、偏光板の吸収軸が長方形状の撮像素子の長辺方向と平行になるように容易に調整できる。
一般的に車両にカメラを取り付けた際のカメラの視認範囲は水平方向が広く、天地方向は狭くて構わないことから、撮像素子の長辺が水平方向になるようにカメラが車両に取り付けられるが、目的に応じて撮像素子の長辺を天地方向にする場合は、吸収軸は撮像素子の短辺方向と一致するよう調整すれば良い。
【０００８】
また、本発明の前記構成において、前記取付部は、前記レンズユニットの鏡筒の外周面を、前記光軸回りに正逆方向に回転可能に摺動し、かつ前記外周面に着脱可能な摺動面を有していてもよい。
【０００９】
ここで、前記ホルダ本体に鏡筒の外径とほぼ等しい内径を有する円筒状の取付部を設け、この取付部の内周面を前記摺動面としてもよいし、鏡筒の外周面とほぼ等しい曲率半径の円弧面を周方向に所定間隔で複数設け、当該複数の円弧面を前記摺動面としてもよい。
【００１０】
このような構成によれば、ホルダ本体をレンズユニットの光軸回りに正逆方向に回転可能とする機能と、ホルダ本体をレンズユニットに着脱可能とする機能の双方を摺動面によって得ることができる。
【００１１】
また、本発明の前記構成において、前記偏光板は前記設置面と前記設置部に設けられたガラス板とによって挟み付けられ、前記ガラス板が前記設置部に固定されていてもよい。
【００１２】
このような構成によれば、ガラス板によって偏光板を保護できる。また、偏光板は設置面に直接接触しており、設置面との間に介在するものがないので、偏光板をレンズユニット側に近付けることができ、そのため偏光板のサイズ（大きさ）をより小さいものとすることができる。
【００１３】
また、本発明の前記構成において、前記設置部は、前記設置面から立ち上がる立上り壁面を有し、この立上り壁面と前記ガラス板の側端面とが接着剤によって接着されることによって、前記ガラス板が前記設置部に固定されていてもよい。
【００１４】
このような構成によれば、ガラス板の側端面が接着剤によって立上り壁面に固定され、この固定されたガラス板と設置面とによって偏光板を挟み付けているので、偏光板を直接設置面に接着剤等によって固定する必要がない。このため、偏光板が接着剤等によって汚れたり、接着不良になったりすることなく、偏光板の取り付けの信頼性を向上させることができる。
【００１５】
また、本発明の前記構成において、前記設置面は、ホルダ本体の表面と裏面との間に設けられた中間壁の表面によって構成され、
前記中間壁の裏面が前記レンズユニットの鏡筒の先端部が当接する受け面となっていてもよい。
【００１６】
このような構成によれば、中間壁の裏面がレンズユニットの鏡筒の先端部が当接する受け面となっているので、中間壁の表面である設置面に設置された偏光板には、鏡筒の先端部が接触しないため、偏光板に擦れ等の負荷が発生せず、偏光板の健全性を保つことができる。
【００１７】
また、本発明の前記構成において、前記中間壁は、前記レンズユニットで結像された画像を撮像する長方形状の撮像素子に必要な光を透過可能な長方形状の開口部を有していてもよい。
【００１８】
このような構成によれば、撮像素子に必要な光を開口部を通してレンズユニットに入射させるとともに、不要な光をカットできる。
【００１９】
本発明の偏光板付きレンズユニットは、レンズユニットと、このレンズユニットに取り付けられた前記偏光板付きホルダとを備え、
前記偏光板付きホルダの前記取付部が前記レンズユニットにその光軸回りに正逆方向に回転可能に、かつ着脱可能に取り付けられていることを特徴とする。
【００２０】
本発明においては、レンズユニットに偏光板付きホルダを取り付けることによって、車載カメラ等のカメラモジュールの前側に偏光板を容易に取り付けることができるとともに、取付部によってホルダ本体をレンズユニットの光軸回りに正逆方向に回転させることにより、偏光板の取付け位置を、偏光板の吸収軸が長方形状の撮像素子の長辺方向と平行になるように容易に調整できる。
【００２１】
また、本発明の前記構成において、前記取付部は、前記レンズユニットの鏡筒の外周面を、前記光軸回りに正逆方向に回転可能に摺動し、かつ前記外周面に着脱可能な摺動面を有し、当該摺動面が前記外周面に前記光軸回りに正逆方向に回転可能に、かつ着脱可能に取り付けられていてもよい。
【００２２】
このような構成によれば、ホルダ本体をレンズユニットの光軸回りに正逆方向に回転可能とする機能と、ホルダ本体をレンズユニットに着脱可能とする機能の双方を摺動面によって得ることができる。
【００２３】
また、本発明の前記構成において、前記偏光板付きホルダの前記設置面は、前記ホルダ本体の表面と裏面との間に設けられた中間壁の表面によって構成され、
前記中間壁の裏面が前記レンズユニットの鏡筒の先端部が当接する受け面となっており、この受け面に前記鏡筒の先端部が当接していてもよい。
【００２４】
このような構成によれば、中間壁の裏面がレンズユニットの鏡筒の先端部が当接する受面となっているので、中間壁の表面である設置面に設置された偏光板には、鏡筒の先端部が接触しないため、偏光板に擦れ等の負荷が発生せず、偏光板の健全性を保つことができる。
【発明の効果】
【００２５】
本発明によれば、車載カメラ等のカメラモジュールの前側に偏光板を容易に取り付けることができるとともに、偏光板の取付け位置を容易に調整できる。
【図面の簡単な説明】
【００２６】
【図１】本発明の偏光板付きレンズユニットの実施の形態を示すもので、偏光板付きホルダを断面で示している正面図である。
【図２】同、（ａ）はホルダ本体を斜め上方から見た斜視図、（ｂ）は偏光板付きホルダを斜め上方から見た斜視図である。
【図３】同、（ａ）はホルダ本体を斜め下方から見た斜視図、（ｂ）は偏光板付きホルダを斜め下方から見た斜視図である。
【図４】同、（ａ）はホルダ本体の平面図、（ｂ）は偏光板付きホルダの平面図である。
【図５】同、（ａ）はホルダ本体の断面図、（ｂ）は偏光板付きホルダの断面図ある。
【発明を実施するための形態】
【００２７】
以下、図面を参照しながら本発明の実施の形態について説明する。
図１は、本実施の形態の偏光板付きレンズユニットを示す正面図であり、偏光板付きホルダは断面図となっている。
図１に示すように、偏光板付きレンズユニット１０は、レンズユニット１１と、このレンズユニット１１に取り付けられた偏光板付きホルダ２０とを備えている。
【００２８】
レンズユニット１１は、例えば、車載カメラ等に用いることができるが、車載カメラ用に限定されるものではなく、その他のカメラに用いることもできる。
また、レンズユニット１１は、撮像素子７、配線基板、信号処理回路、フレキシブル配線シートおよびコネクタ等とともに、カメラモジュールを構成する。なお、カメラモジュールとは、少なくともレンズユニット１１と撮像素子７とを備えたものを言う。本実施の形態のカメラモジュールにおいては、レンズユニット１１の結像側（レンズユニット１１が像を結ぶ側）に図示しない保持部によって撮像素子７が保持された状態で配置され、レンズユニット１１で結像される画像を撮影することが可能となっている。
【００２９】
レンズユニット１１は、円筒状の鏡筒１２を備えており、この鏡筒１２の内周側に複数の図示しないレンズ、スペーサ、絞り部材および光学フィルタ等が光軸方向に並べられて配置されている。また、鏡筒１２の外周面にはフランジ部１２ａが設けられている。鏡筒１２は金属製であってもよいし樹脂製であってもよい。
複数のレンズは、それぞれの光軸を一致させた状態で鏡筒１２の内周側に配置され、鏡筒１２に固定され支持されている。すなわち、複数のレンズは、１つの光軸に沿って並べられた状態となっており、これにより撮像に用いられる１群のレンズ群が構成されている。以下に単に光軸と記載した場合には、各レンズの光軸を示すとともにレンズ群の光軸を示すものとする。
【００３０】
図２〜図５に示すように、偏光板付きホルダ２０は、レンズユニット１１に着脱可能に取り付けられるものであり、ホルダ本体２１と、設置部２２と、偏光板２３と、取付部２４とを備えている。
ホルダ本体２１は、樹脂によって一体的に形成されたもので、平面視において短辺側が円弧状の略矩形状に形成されている。ホルダ本体２１は、短辺方向に対向する長方形板状の側壁２１ａ，２１ａと、長辺方向に対向する円弧板状の側壁２１ｂ，２１ｂとを備えており、側壁２１ａ，２１ａの長手方向端部と、側壁２１ｂ，２１ｂの長手方向端部とが接続されている。
また、ホルダ本体２１はその長手方向の両端部にそれぞれ上面壁２１ｃ，２１ｃを備えている。上面壁２１ｃの外側の縁部は側壁２１ｂに沿う円弧状に形成され、当該上面壁２１ｃの外側の縁部が側壁２１ｂの上縁部に接続されている。また、上面壁２１ｃの内側の縁部は直線状に形成され、当該直線状の縁部には、凹状の切欠部２１ｄ，２１ｄが縁部の長手方向に離間して形成されている。
【００３１】
前記設置部２２は、ホルダ本体２１の表面側（図２（ａ）において上面側）に設けられており、設置面２２ａを有している。設置面２２ａは上面壁２１ｃより一段低く、かつ上面壁２１ｃの上面と平行に設けられている。また、設置面２２ａは、ホルダ本体２１を前記レンズユニット１１に取り付けた状態において、当該レンズユニット１１の光軸と直交するようになっている。
このような設置面２２ａは中間壁２６の表面によって構成されている。中間壁２６は中央部に後述する開口部２７を有する矩形板状に形成されており、ホルダ本体２１の表面と裏面との間に上面壁２１ｃと平行に配置され、その長辺部がホルダ本体２１の側壁２１ａの内面に接続され、短辺部が側壁２１ｂの内面に接続されている。また、中間壁２６はホルダ本体２１の厚さ、つまり側壁２１ａ，２１ｂの高さの中央より上側（上面壁２１ｃ側）に寄せて配置されている。
【００３２】
また、中間壁２６はその中央部に、前記レンズユニット１１で結像された画像を撮像する長方形状の撮像素子７（図１参照）に必要な光を透過可能な長方形状の開口部２７を有している。したがって、中間壁２６の表面のうち、開口部２７より外側にある平坦面が設置面２２ａとなっている。
さらに、中間壁２６の裏面はレンズユニット１１の鏡筒１２の上端面が当接する受け面２６ｂとなっている（図３参照）。
【００３３】
また、前記設置部２２は、設置面２２ａから当該設置面２２ａに対して立ち上がる立上り壁面２２ｂ，２２ｂと立上り壁面２２ｃ，２２ｃとを有している。
立上り壁面２２ｂ，２２ｂは、ホルダ本体２１の短手方向に対向して配置されており、ホルダ本体２１の側壁２１ａの内壁面のうち、中間壁２６より上側（上面壁２１ｃ側）の内壁面によって構成されている。
立上り壁面２２ｃ，２２ｃは、ホルダ本体２１の長手方向に対向して配置されており、上面壁２１ｃ，２１ｃの内側の縁部から設置面２２ａに向けて形成された壁面によって構成されている。
立上り壁面２２ｂ，２２ｂは設置面２２ａから上側（上面壁２１ｃ側）に向かうしたがって、互いに離間するように設置面２２ａに対して傾斜しており、同様に立上り壁面２２ｃ，２２ｃも設置面２２ａから上側（上面壁２１ｃ側）に向かうしたがって、互いに離間するように設置面２２ａに対して傾斜している（図５参照）。
【００３４】
対向する立上り壁面２２ｂ，２２ｂ間の距離は、設置面２２ａの高さ位置において、薄い矩形板状の偏光板２３の短辺の長さとほぼ等しいか若干長めになっており、対向する立上り壁面２２ｃ，２２ｃ間の距離は、偏光板２３の長辺の長さとほぼ等しいか若干長めになっている。
したがって、立上り壁面２２ｂ，２２ｂ，２２ｃ，２２ｃで囲まれた内側部分に偏光板２３を挿入して、当該偏光板２３を設置面２２ａに載置することで、当該偏光板２３はホルダ本体２１に偏光板２３の表面と直交する方向（光軸方向）、偏光板２３の長辺方向および短辺方向の位置決めがなされる。
【００３５】
偏光板２３は、ポリビニルアルコール（ＰＶＡ）を主体に、ヨウ素化合物分子を吸着配向させて作成されたもので、ポリビニルアルコール（ＰＶＡ）で形成されたＰＶＡ層の両側にトリアセチルセルロース（ＴＡＣ）で形成されたＴＡＣ層を貼着することによってＰＶＡ層が保護・補強されている。
このような偏光板２３は設置面２２ａに載置するようにして設置部２２に固定されている。すなわち、偏光板２３は設置面２２ａに載置されたうえで、当該設置面２２ａと設置部２２に設けられるガラス板３０とによって挟み付けられたうえで、ガラス板３０が設置部２２に固定され、これによって偏光板２３が設置部２２に固定されている。
また、図４（ｂ）に示すように、偏光板２３は、吸収軸と当該吸収軸に対して直交する透過軸とを有しており、本実施の形態では吸収軸が偏光板２３の長辺方向に向けられている。そして、偏光板２３を設置面２２ａに載置する場合、偏光板２３の吸収軸を平面視においてホルダ本体２１の長手方向に向けて、つまり長辺を設置面２２ａの長辺方向に向けて、偏光板２３を設置面２２ａに載置する。
【００３６】
ガラス板３０は以下のようにして設置部２２に固定されている。
すなわちまず、図２（ａ）に示すように、立上り壁面２２ｃには、前記切欠部２１ｄ，２１ｄから上面壁２１ｃに対して直角に設置面２２ａまで延びるか、または上面壁２１ｃに対して若干傾斜して設置面２２ａまで延びる凹溝２８，２８が立上り壁面２２ｃの長手方向に離間して設けられている。凹溝２８は上面壁２１ｃおよび立上り壁面２２ｃに開口している。
ガラス板３０は偏光板２３と形状および面積が等しくなっており、当該ガラス板３０を立上り壁面２２ｂ，２２ｂ，２２ｃ，２２ｃで囲まれた内側部分に偏光板２３の上側から挿入した状態において、ガラス板３０の側面と、立上り壁面２２ｂ，２２ｂ，２２ｃ，２２ｃとの間には若干の隙間があるとともに、立上り壁面２２ｃに設けられた凹溝２８の底とガラス板３０の側面との間には接着剤を充填するのに十分な大きさの充填部が形成される。
したがって、この充填部に例えば紫外線硬化型の接着剤を充填することによって、当該接着剤によって充填部が満たされるとともに、接着剤の一部はガラス板３０の側端面と立上り壁面２２ｃ，２２ｃとの間の隙間にしみ出す。そして、この状態で接着剤に紫外線を照射して硬化させることによって、立上り壁面２２ｃ，２２ｃとガラス板３０の側端面とが接着剤によって略４箇所で接着される。このようにしてガラス板３０は設置部２２に固定されている。
【００３７】
前記取付部２４は、ホルダ本体２１をレンズユニット１１の光軸回りに正逆方向に回転可能に、かつ着脱可能にレンズユニット１１に取り付けるものであり、ホルダ本体２１の裏面側に設けられている。
すなわちまず、図３に示すように、ホルダ本体２１の裏面側には円筒状の取付部２４が設けられている。この取付部２４の内径はレンズユニット１１の鏡筒１２の外径とほぼ等しいか若干長めとなっている。また、取付部２４の外周面の一部は、ホルダ本体２１の側壁２１ａ，２１ａの長手方向中央部において、側壁２１ａ，２１ａから略円弧面状に膨出している。また、図５に示すように、取付部２４の内周面２４ａはホルダ本体２１の下面に近付くほど、若干小径となるように光軸に対して傾斜している。
また、上述した受け面２６ｂは中間壁２６の裏面でかつ取付部２４の内側において、開口部２７の周辺部に位置する。
【００３８】
また、取付部２４は、レンズユニット１１の鏡筒１２の外周面１２ａを、光軸回りに正逆方向に回転可能に摺動し、かつ鏡筒１２の外周面１２ａに着脱可能な摺動面２４ａを有している。具体的には、この摺動面２４ａは円筒状の取付部２４の内周面２４ａによって構成されている。上述したように、摺動面２４ａたる取付部２４の内周面２４ａの内径はレンズユニット１１の鏡筒１２の外周面１２ａの外径とほぼ等しいか若干大きめとなっているので、摺動面２４ａに鏡筒１２を挿し込んだ状態において、摺動面２４ａは鏡筒１２の外周面１２ａを光軸回りに正逆方向に回転可能となるとともに、外周面１２ａから軸方向に取り外し可能となる。
【００３９】
具体的には、鏡筒１２の先端部（図１において上端部）の外周面１２ａは鏡筒１２の下端部（図１において下端部）に近付くほど若干小径となっている、つまり先端部ほど若干大径となるように光軸に対して傾斜している一方、取付部２４の内周面（摺動面）２４ａはホルダ本体２１の下面に近付くほど、若干小径となるように光軸に対して傾斜しているので、鏡筒１２の外周面１２ａに、取付部２４の内周面（摺動面）２４ａを挿入した状態において、取付部２４の内周面（摺動面）２４ａは、鏡筒１２の外周面１２ａに対して光軸回りに正逆方向に回転可能となり、また、偏光板付きホルダ２０（ホルダ本体２１）を鏡筒１２から軸方向に引き抜くと、取付部２４が鏡筒１２の外周面１２ａによって外側に押圧されて弾性的に拡径し、鏡筒１２の外周面１２ａが取付部２４の内周面２４ａから外れる。このように、偏光板付きホルダ２０は、レンズユニット１１の鏡筒１２に対して光軸回りに正逆方向に回転可能となるとともに、着脱可能となる。
【００４０】
また、図示は省略するが、偏光板付きホルダ２０は、当該偏光板付きホルダ２０を鏡筒１２に光軸回りに正逆方向に回転可能に、かつ着脱可能に取り付けた場合に、偏光板付きホルダ２０の光軸回りの回転を固定するとともに、鏡筒１２からの逸脱を防止する固定手段が設けられていてもよい。
この固定手段は、例えば、円筒状の取付部２４に、ホルダ本体２１の側壁２１ｂに対向してねじ孔を取付部２４の径方向に貫通するようにして設けるとともに、当該ねじ孔と同軸に貫通孔を側壁２１ｂに設け、さらに、ねじ孔に固定ボルトを螺合することによって構成してもよい。このような固定手段によって偏光板付きホルダ２０の光軸回りの回転を固定するとともに、鏡筒１２からの逸脱を防止する場合、ねじ孔に螺合している固定ボルトを、貫通孔から挿入したねじ回し等の工具によって締め付けて、当該固定ボルトの先端部を鏡筒１２の外周面に圧接させればよい。
また、偏光板付きホルダ２０を鏡筒１２から取り外す場合、前記固定ボルトを緩めたうえで、上述したようにして鏡筒１２から取り外せばよい。
【００４１】
図１に示すように、偏光板付きホルダ２０をレンズユニット１１の鏡筒１２に取り付ける場合、つまり、偏光板付きホルダ２０とレンズユニット１１とによって偏光板付きレンズユニット１０を構成する場合、まず、鏡筒１２の外周面１２ａに、偏光板付きホルダ２０の円筒状の取付部２４の摺動面（内周面）２４ａを嵌め込む。
この場合、偏光板付きホルダ２０の取付部２４が鏡筒１２の外周面１２ａによって外側に押圧されて弾性的に拡径し、鏡筒１２の外周面１２ａに取付部２４の内周面２４ａが嵌まり込む。このとき。鏡筒１２の先端面（上端面）が、偏光板付きホルダ２０の中間壁２６の裏面の受け面２６ｂに当接することによって、偏光板付きホルダ２０、すなわち偏光板２３の光軸方向の位置決めがなされる。
【００４２】
この状態において、偏光板付きホルダ２０が鏡筒１２に対して光軸回りに正逆方向に回転可能となるので、偏光板付きホルダ２０を作業者が把持して、光軸回りに適宜正逆方向に回転させて、偏光板２３の吸収軸（図４（ｂ）参照）が長方形状の撮像素子７（図１参照）の長辺方向と平行になるように調整する。長方形状の偏光板２３は、その吸収軸が偏光板２３の長辺方向と平行となっており、この方向は偏光板付きホルダ２０のホルダ本体２１の長辺方向と一致する。
一方、車載カメラ等のカメラモジュールに設けられる長方形状の撮像素子７（図１参照）は、当該撮像素子７の長辺（図１に左右方向の辺）が水平となるように車両等に取り付けられる。
したがって、偏光板付きホルダ２０のホルダ本体２１の長辺方向が水平となるように偏光板付きホルダ２０の周方向の位置決めを行うことによって、偏光板２３の吸収軸が長方形状の撮像素子７の長辺方向と平行になるように、偏光板２３の取付け位置を調整することができる。
【００４３】
以上説明したように本実施の形態によれば、ホルダ本体２１の表面側に設けられた設置部２２の設置面２２ａがホルダ本体２１をレンズユニット１１に取り付けた状態において、当該レンズユニット１１の光軸と直交しているので、この設置面２２ａに設置された偏光板２３は、ホルダ本体２１をレンズユニット１１に取り付けた状態において、当該レンズユニット１１の光軸と直交し、さらに、ホルダ本体２１の裏面側に設けられた取付部２４は、当該ホルダ本体２１をレンズユニット１１の光軸回りに正逆方向に回転可能に、かつ着脱可能にレンズユニット１１に取り付ける。
したがって、レンズユニット１１に偏光板付きホルダ２０を取り付けることによって、車載カメラ等のカメラモジュールの前側に偏光板を容易に取り付けることができるとともに、取付部２４によってホルダ本体２１（偏光板付きホルダ２０）をレンズユニット１１の光軸回りに正逆方向に回転させることにより、偏光板２３の取付け位置を、偏光板２３の吸収軸が長方形状の撮像素子７の長辺方向と平行になるように容易に調整できる。
【００４４】
また、取付部２４は、レンズユニット１１の鏡筒１２の外周面１２ａを、光軸回りに正逆方向に回転可能に摺動し、かつ外周面１２ａに着脱可能な摺動面２４ａを有しているので、ホルダ本体２１をレンズユニット１１の光軸回りに正逆方向に回転可能とする機能と、ホルダ本体２１をレンズユニット１１に着脱可能とする機能の双方を摺動面２４ａによって得ることができる。
さらに、偏光板２３は設置面２２ａと設置部２２に設けられたガラス板３０とによって挟み付けられ、ガラス板３０が設置部２２に固定されているので、ガラス板３０によって偏光板を保護できる。また、偏光板２３は設置面２２ａに直接接触しており、設置面２２ａとの間に介在するものがないので、偏光板２３をレンズユニット１１側に近付けることができ、そのため偏光板２３のサイズ（大きさ）をより小さいものとすることができる。
【００４５】
また、設置部２２は、設置面２２ａから立ち上がる立上り壁面２２ｂ，２２ｃを有し、この立上り壁面２２ｂ，２２ｃとガラス板３０の側端面とが接着剤によって接着されることによって、ガラス板３０が設置部２２に固定され、この固定されたガラス板３０と設置面２２ａとによって偏光板２３を挟み付けているので、偏光板２３を直接設置面２２ａに接着剤等によって固定する必要がない。このため、偏光板２３が接着剤等によって汚れたり、接着不良になったりすることなく、偏光板２３の取り付けの信頼性を向上させることができる。
【００４６】
また、設置面２２ａは、ホルダ本体２１の表面と裏面との間に設けられた中間壁２６の表面によって構成され、中間壁２６の裏面がレンズユニット１１の鏡筒１２の先端部が当接する受け面２６ｂとなっているので、中間壁２６の表面である設置面２２ａに設置された偏光板２３には、鏡筒１２の先端部が接触しないため、偏光板２３に擦れ等の負荷が発生せず、偏光板２３の健全性を保つことができる。
また、中間壁２６は、レンズユニット１１で結像された画像を撮像する長方形状の撮像素子７に必要な光を透過可能な長方形状の開口部２７を有しているので、撮像素子７に必要な光を開口部２７を通してレンズユニット１１に入射させるとともに、不要な光をカットできる。
【符号の説明】
【００４７】
１０  偏光板付きレンズユニット
１１  レンズユニット
１２  鏡筒
１２ａ  鏡筒の外周面
２０  偏光板付きホルダ
２１  ホルダ本体
２２  設置部
２２ａ  設置面
２２ｂ，２２ｃ  立上り壁面
２３  偏光板
２４  取付部
２４ａ  摺動面
２６  中間壁
２６ｂ  受け面
２７  開口部
３０  ガラス板
【図１】
2020106724.tif 000003
【図２】
2020106724.tif 000004
【図３】
2020106724.tif 000005
【図４】
2020106724.tif 000006
【図５】
2020106724.tif 000007